(57)【要約】【課題】上部揺動ロッドと下部揺動ロッドとを一体成形することにより、振り子と揺動ロッドとが互いに同期して揺動するようにした。【解決手段】上部収容ケース５の下端部には、磁気励起巻線と電子回路板とを収容するための下部収容ケース６が設けてあり、前記上部収容ケース５の上端部には一つの振り子が揺動可能に枢着された電子式時計の振り子構造であって、前記振り子７は、水平断面が半円弧状を呈し、かつ振り子７本体内には揺動ロッド８が嵌合されるようになっていると共に、前記揺動ロッド８の上部対称位置に突設した係止ピン８１１，８１２の一方の係止ピン８１１が前記振り子７の貫通孔７１に挿通されて外方に突出するようになっており、前記係止ピン８１１，８１２を上部収容ケース５及び蓋部５２に揺動可能に枢着する構成とした。【選択図】図５
0003108768.tif 000002
【実用新案登録請求の範囲】
【請求項１】
上部収容ケースの下端部に、磁気励起巻線と電子回路板とを収容するための下部収容ケースが設けてあり、前記上部収容ケースの上端部には一つの振り子が揺動可能に枢着された電子式時計の振り子構造であって、
前記振り子には、揺動ロッドが嵌合結合されるようになっていると共に、前記揺動ロッド８上部対称位置には突設した一対の係止ピンが設けられ、一方の係止ピンが前記振り子の貫通孔に挿通されて外方に突出するようになっており、
前記一対の係止ピンを上部収容ケース及び蓋部に揺動可能に枢着し、前記振り子と揺動ロッドが同期して揺動するようにしたことを特徴とする電子式時計の振り子構造。
【請求項２】
前記振り子は、振り子本体の水平断面形状が半円弧状を呈していることを特徴とする請求項１に記載の電子式時計の振り子構造。
【請求項３】
前記振り子本体の半円弧状内面が前記揺動ロッドの外面形状に一致するようにしたことを特徴とする請求項２に記載の電子式時計の振り子構造。
【考案の詳細な説明】
【技術分野】
【０００１】
本考案は電子式時計の振り子構造に係り、特に、上部揺動ロッドと下部揺動ロッドとを一体に結合構成することにより、振り子と揺動ロッドとが同期して揺動する方式の電子式時計の振り子構造に関するものである。
【背景技術】
【０００２】
従来の電子式時計にあっては、時計装置の内部機構の時針と分針と秒針とが磁気励起巻線の磁界作用により駆動される磁性歯車によって回転させられ、中継歯車を介して秒針・分針・時針が順次回動され、時間を正確に表示する目的を達成する。
従来の電子式時計は、時刻表示は正確ではあるが、機械式時計のように振り子が左右に揺動する機構がなく、見た目に単純な構成となっている。したがって、この点を解消すべく、以下に示すように、電子式時計における装飾性を向上させるために、振り子を有する電子式時計の開発がなされている。
【０００３】
改良された振り子を有する電子式時計について、図１と図２を参照して説明する。
前記電子式時計は、時計装置の主要な機構を配置する上部収容ケース１と、この上部収容ケース１に回転可能に配設される時針と分針と秒針と、上部収容ケース１の下端に配設した磁気励起巻線と電子回路板とを収容するための下部収容ケース２が設けてある。
また、上部収容ケース１の上端には振り子支持部１ａが設けれており、この振り子支持部１ａに一つの振り子３の上端部が枢支されて、垂下部が揺動可能に枢着されるようになっている。前記振り子３は前記上部収容ケース１の上側に設けられ振り子支持部１ａと蓋１１に設けられた支持部１１ａによって枢支保持され、且つ振り子３の底端部には磁石３１１を収容する磁石固定台３１が設けてあり、磁石固定台３１が前記下部収容ケース２の下方に対向設置され、前記巻線の磁界の変化により、振り子３を左右に揺動させることができるようになっている。
【０００４】
しかしながら、このような振り子３は、その頂端部が上部収容ケース１の上端部の支持部１ａに枢支されており、枢支箇所が振り子３のバランス中心点に位置しておらず、振り子３の振れ速度が速すぎて不安定になり、また、振り子３の底端部に連結される下部揺動ロッド３２は、前記振り子３の係合孔３３に係合し、下部揺動ロッド３２の揺動方向の側方には振れ幅を防止する規制機構が設けられていない。したがって、下部揺動ロッド３２が左右方向に揺動するときには、下部揺動ロッド３２が不安定になり、過剰な振幅範囲で揺動して脱落などの不具合が発生し易い。
【０００５】
このような従来技術の問題点を解決するために、図３と図４に示すような電子式時計が開発された。
図３及び図４に示される改良された電子式時計によれば、前記従来例と同様に、時計装置の主要な機構を設置する上部収容ケース４１と、この上部収容ケース４１に回転可能に配設される時針と分針と秒針と、上部収容ケース４１の下端部に配設した磁気励起巻線と電子回路板とを収容するための下部収容ケース４２が設けてある。
また、上部収容ケース４１の上端部には振り子支持部４１ａが設けられており、振り子４３の上部が枢支されて振り子４３の垂下部が揺動可能になるように枢着保持されている。前記振り子４３は前記上部収容ケース４１の上側に設けられる蓋４１１に設けられた支持部４１１ａによって枢支保持され、且つ振り子４３の底端部と対向する前記下部収容ケース４２には磁石４４が収容されており、前記巻線の磁界の変化により、振り子４３を左右に揺動させることができるようになっている。
なお、振り子４３の頂端部の中央位置にはピン４３１が設けられており、該ピン４３１には上部揺動ロッド４５の下端部が嵌合固定されるようになっている。
このような構成の電子式時計によれば、前記振り子４３が左右に揺動するときには、下部揺動ロッド４３２と上部揺動ロッド４５が連動することになり、且つ上部揺動ロッド４５の重力と慣性による調節作用により、前記振り子４３は順調に揺動することができ、従来の欠点を解決することができる。
【０００６】
しかしながら、前記振り子４３の底端部に吊り下げられる下部揺動ロッド４３２は、依然として振り子４３の係合孔４３３に係合する係合方式により連結されており、このため、下部揺動ロッド４３２の揺動速度は調節できるが、下部揺動ロッド４３２の長さに起因して、図４（ａ）におけるＡ部拡大図である図４（ｂ）に示すように、左右に揺動するときには下部揺動ロッド４３２が不安定になり脱落し易く、下部揺動ロッド４３２は振り子４３および上部揺動ロッド４５と同様な振り幅で揺動することができない。
【考案の開示】
【考案が解決しようとする課題】
【０００７】
本考案の主な目的は、振り子に連結される上部揺動ロッドと下部揺動ロッドとを一体に結合構成することにより、振り子と揺動ロッドが同期して揺動することが可能な電子式時計の振り子構造を提供する。
【課題を解決するための手段】
【０００８】
上記目的を達成するためになされた本願の考案は、時計装置の主要な機構を配置する上部収容ケースの下端部に、磁気励起巻線と電子回路板とを収容するための下部収容ケースが設けてあり、前記上部収容ケースの上端部に振り子が揺動可能に枢着された電子式時計の振り子構造であって、前記振り子には、揺動ロッドが嵌合結合されるようになっていると共に、前記揺動ロッドの上部側の表裏対称位置には突設した一対の係止ピンが設けられ、前記係止ピンの一方の係止ピンが前記振り子の貫通孔に挿通されて外方に突出するようになっており、前記一対の係止ピンをそれぞれ上部収容ケース及び蓋部に揺動可能に枢着し、前記振り子と揺動ロッドが同期して揺動するようにしたことを特徴とする。
【０００９】
請求項２の考案は、請求項１に記載の電子式時計の振り子構造において、前記振り子は、振り子本体の水平断面形状が半円弧状を呈していることを特徴とする。
【００１０】
請求項３の考案は、請求項２に記載の電子式時計の振り子構造において、前記振り子本体の半円弧状内面が前記揺動ロッドの外面形状に一致するようにしたことを特徴とする。
【考案の効果】
【００１１】
本考案に係る電子式時計の振り子構造によれば、上部揺動ロッドと下部揺動ロッドとを一体に連結した構成とすることにより、振り子と揺動ロッドとが同期して揺動し、下部揺動ロッド４３２は振り子４３および上部揺動ロッド４５と同様な振り幅で揺動することができ、結合による脱落等の不具合が解消できる。
【考案を実施するための最良の形態】
【００１２】
以下、添付図面を参照して本考案の好適な実施の形態を詳細に説明する。
【実施例】
【００１３】
図５は、本考案に係る電子式時計の振り子構造の一実施例を示す要部の分解斜視図である。
電子式時計は、時計装置内部の図示しない時針と分針と秒針とが磁気励起巻線の磁界作用により駆動される磁性歯車によって回転させられ、中継歯車を介して秒針・分針・時針が順次回動され、時間を正確に表示するようになっている。
【００１４】
前記電子式時計は、時計装置の主要な機構を設置する上部収容ケース５と、この上部収容ケース５に回転可能に配設される図示しない時針と分針と秒針と、上部収容ケース５の下端に配設した磁気励起巻線と電子回路板とを収容するための下部収容ケース６とが設けてある。
【００１５】
また、上部収容ケース５の上端には振り子支持部５１が設けられ、該支持部５１に振り子７の上端部が揺動可能に支持されるようになっている。前記振り子７は前記上部収容ケース５の上側に取り付けられる蓋５２に設けた支持部５３に枢支され、前記振り子支持部５１とともに揺動可能に支持されるようになっている。
【００１６】
また、前記振り子７は、振り子本体の水平断面が半円弧状を呈し、上端部には係止ピン８１１が貫通する貫通孔７１設けてあり、底端部の近傍には磁石７３を収容するための磁石固定台７２が設けてある。前記磁石固定台７２は前記磁気励起巻線を収容した下部収容ケース６と平行する箇所に設けられ、磁気励起巻線の磁界の変化により、振り子７が駆動されて揺動する。
【００１７】
なお、前記水平断面が半円弧状を呈する振り子７の本体内には、揺動ロッド８が嵌合されるようになっており、前記揺動ロッド８の上部側の対称位置には外周面より突設した一対の係止ピン８１１，８１２が設けられており、前記係止ピン８１１，８１２の一方の係止ピン８１１が前記貫通孔７１に挿通して外方に突出するようになっている。
【００１８】
そして、前記揺動ロッド８の一方の係止ピン８１１の端部を上部収容ケース５の支持部５１の枢着孔５１ａに嵌めて係合するとともに、他方の係止ピン８１２の他端部を上蓋５２の支持部５３の枢着孔５３ａに嵌めて係合し、且つ上蓋５２の固定ピン５２１を上部収容ケース５の固定孔５４に係合することにより、振り子７と揺動ロッド８との位置決めがなされ、前記磁気励起巻線の磁界の変化により、振り子７と揺動ロッド８がともに駆動されて揺動する。
なお、前記一方の係止ピン８１１が貫通孔７１に挿通されることにより、揺動ロッド８が振り子７と同期して駆動され、且つ係止ピン８１１、８１２により二つの支点が形成される。
【００１９】
また、上記実施例に限定されることなく、上部揺動ロッドと下部揺動ロッドとを一体成形することにより、揺動ロッド８と振り子７とは、同期して安定的に揺動し、従来の隘路とされた下部揺動ロッドの左右揺動時における脱落等の不具合を解消できる。
【図面の簡単な説明】
【００２０】
【図１】従来の電子式時計の振り子構造の分解斜視図である。
【図２】従来の電子式時計の振り子構造の揺動ロッドの揺動状態を示す斜視図である。
【図３】従来の異なる電子式時計の振り子構造の分解斜視図である。
【図４】（ａ）は従来の異なる電子式時計の振り子構造の揺動ロッドの揺動状態を示す斜視図、（ｂ）は（ａ）のＡ部の拡大図である。
【図５】本考案に係る電子式時計の振り子構造の一実施例を示す要部の分解斜視図である。
【図６】本考案に係る電子式時計の振り子構造の一実施例を示す揺動ロッドの揺動状態を示す斜視図である。
【符号の説明】
【００２１】
１，４１    上部収容ケース
２，４２    収容ケース
１１        上蓋
３，４３    振り子
３１，４４          磁石固定台
３１１      磁石
３２，４３２        下部揺動ロッド
３３，４３３        係合孔
４３１      ピン
４５        上部揺動ロッド
５          上部収容ケース
５１ａ，５３ａ      枢着孔
５２        上蓋
５２１      固定ピン
５４        固定孔
６          下部収容ケース
７          振り子
７１        貫通孔
８          揺動ロッド
８１１，８１２      係止ピン
７２        磁石固定台
７３        磁石
【図１】
0003108768.tif 000003
【図２】
0003108768.tif 000004
【図３】
0003108768.tif 000005
【図４】
0003108768.tif 000006
【図５】
0003108768.tif 000007
【図６】
0003108768.tif 000008